(57)【要約】【課題】ベルマウスがフレームに確実に取り付けられるように着脱でき、その着脱が容易な換気装置を提供することを目的とする。【解決手段】ベルマウス６に一体的に形成されたベルマウス取付部材７が、一方側端部に前面を押圧することによってフレーム５に設けた係止孔１１に係止するとともに、指操作で係止を解除可能な着脱片１０を設け、他方側端部に、フレーム５に設けられ係合孔１３を有し弾性変形する係合枠１２の前記係合孔１３に嵌合する寸法で中央部が高く形成された係合突部１４を設けた構成としたことにより、ベルマウス６のフレーム５への着脱が確実かつ容易にできることとなる。【選択図】図３
2008232490.tif 000002
【特許請求の範囲】
【請求項１】
室壁に設けた換気口に挿入され、遠心ファンを有したファンモーターを備えてその内部を通風路とした円筒部と、前記円筒部の室内側端部に外方に延設し前記室壁面に取り付けられるフレームと、前記円筒部の室内側開口部に位置して前記ファンモーターへの通風を案内するベルマウスと、前記ベルマウスを前記フレームに取り付けるために前記ベルマウスに一体的に形成されたベルマウス取付部材とを備え、前記ベルマウス取付部材は、一方側端部に前面を押圧することによって前記フレームの一方側端部に設けた係止部に係止するとともに、指操作で前記係止を解除可能な着脱片を設け、前記一方側端部に対向する他方側端部に、前記フレームの他方側端部に設けられ係合孔を有し弾性変形する係合部の前記係合孔に嵌合する寸法で、中央部が高く形成された係合突部を設けたことを特徴とする換気装置。
【請求項２】
係合突部は、係合孔に係合し始める側を低く中央部を最高位の頂部とした上昇傾斜面と、前記頂部から下降する下降傾斜面と、前記下降傾斜面から前記係合孔に対し直交する直交面とからなる山形突状に形成された請求項１に記載の換気装置。
【請求項３】
フレームの他端側に設けられた係合部は、アーチ状の係合枠からなり、前記係合枠の内周側を係合孔とした請求項１または２に記載の換気装置。
【請求項４】
着脱片およびアーチ状の係合枠は可撓性材料からなる請求項３に記載の換気装置。
【請求項５】
ベルマウス取付部材の前面で係合突部の近傍に、凹凸状の指押圧部を設けた請求項１〜４のいずれかに記載の換気装置。
【請求項６】
ベルマウス取付部材およびフレームの一方側端部に、着脱片および係止部を１組、他方側端部に係合突部および係合部を２組設けた請求項１に記載の換気装置。
【請求項７】
フレームの前面に、ベルマウス取付部材取付け時に、その他方側端部に隣接する一側縁が当接するガイドリブを設けた請求項１〜４のいずれかに記載の換気装置。
【請求項８】
ガイドリブは係合部側のみに設けた請求項７に記載の換気装置。
【請求項９】
フレームの前面に、ベルマウス取付部材取付け時に、その他方側端部に隣接する一側縁が当接する段差を設けた請求項１〜４のいずれかに記載の換気装置。
【請求項１０】
フレームを前面側から覆い通風孔を有したカバーを前記フレームに着脱自在に装着し、前記カバーの裏面に、このカバーの装着時に前記ベルマウス取付部材を前記フレームに係止および係合可能に押圧する高さの押圧リブを設けた請求項１〜４のいずれかに記載の換気装置。
【請求項１１】
ベルマウス取付部材の裏面に、フレームへの取付け状態で、円筒部の内周面に密着状に当接する気密リブを設けた請求項１〜４のいずれかに記載の換気装置。
【請求項１２】
円筒部の室内側開口部を開閉するシャッターユニットをベルマウス取付部材に付加装着可能な構成とした請求項１〜４のいずれかに記載の換気装置。
【請求項１３】
シャッターユニットの前面で係合突部の近傍に、凹凸状の指押圧部を設けた請求項１２に記載の換気装置。
【発明の詳細な説明】
【技術分野】
【０００１】
本発明は、室壁に設けた換気口に挿入されて取り付けられる換気装置、詳しくは、ベルマウスの必要な遠心ファンを有したファンモーターを備えた換気装置に関する。
【背景技術】
【０００２】
従来、この種の換気装置は、遠心ファンの吸込み側に遠心ファンの外径より内径が小さいベルマウスを取り付けているので、遠心ファンを取り外して掃除するために、ベルマウスを着脱できる構成としていた（例えば、特許文献１参照）。
【０００３】
以下、特許文献１に示す換気装置について、図１１および図１２を参照しながら説明する。
【０００４】
図１１に示すように、遠心ファン１０１を有したファンモーターを備えた円筒部１０２の室内側端部、すなわち、遠心ファン１０１の吸込み側にベルマウス１０３を、一体的に形成した取付部材１０４を介して、円筒部１０２の室内側端部に外方に延設したフレーム１０５に着脱自在に設けていた。
【０００５】
その着脱は、図１２によって詳述すると、取付部材１０４の一方側端部に設けた引掛け部１０６を、フレーム１０５の一方側端部に立設し先端を内方に折曲した掛部１０７に挿入して引掛け、そして、取付部材１０４の他方側端部に設けＵ字状に形成されたロック機構１０８を、押圧して弾性変形させながらフレーム１０５に設けた係合部（図示せず）に係合し、また、取り外す場合は、ロック機構１０８を指で挟み弾性変形させて係合を解除する構成としていた。
【特許文献１】特開２００４−１１６８９７号公報（［００１７］〜［００２０］および図５、図６）
【発明の開示】
【発明が解決しようとする課題】
【０００６】
このような従来の換気装置のベルマウス１０３に一体的に形成した取付部材１０４は、引掛け部１０６をフレーム１０５に立設し先端を内方に折曲した掛部１０７に挿入して引掛け取り付ける構成としているので、引掛け部１０６が掛部１０７にしっかりと挿入されているのを確認せず、引掛け部１０６が掛部１０７の上に乗った状態で、他方側端部のロック機構１０８を押して係合しても、取付部材１０４はちょっと見ただけでは取り付けられた状態にあり、そのままの状態で運転されると、ベルマウス１０３と一体の取付部材１０４とフレーム１０５との間に隙間ができ、性能が十分に出ず、また異常音を発生することとなり、さらに時間が経過すると、ロック機構１０８が損壊し取付部材１０４が外れてしまうことがあるという課題があった。
【０００７】
本発明はこのような課題を解決するものであり、ベルマウスがフレームに確実に取り付けられるように着脱でき、取り付けられた状態では確実に性能が発揮され、さらに、その着脱が容易な換気装置を提供することを目的としている。
【課題を解決するための手段】
【０００８】
本発明の換気装置は上記目的を達成するために、室壁に設けた換気口に挿入され、遠心ファンを有したファンモーターを備えてその内部を通風路とした円筒部と、前記円筒部の室内側端部に外方に延設し前記室壁面に取り付けられるフレームと、前記円筒部の室内側開口部に位置して前記ファンモーターへの通風を案内するベルマウスと、前記ベルマウスを前記フレームに取り付けるために前記ベルマウスに一体的に形成されたベルマウス取付部材とを備え、前記ベルマウス取付部材は、一方側端部に前面を押圧することによって前記フレームの一方側端部に設けた係止部に係止するとともに、指操作で前記係止を解除可能な着脱片を設け、前記一方側端部に対向する他方側端部に、前記フレームの他方側端部に設けられ係合孔を有し弾性変形する係合部の前記係合孔に嵌合する寸法で、中央部が高く形成された係合突部を設けた構成としたものである。
【０００９】
また、他の手段は、係合突部は、係合孔に係合し始める側を低く中央部を最高位の頂部とした上昇傾斜面と、前記頂部から下降する下降傾斜面と、前記下降傾斜面から前記係合孔に対し直交する直交面とからなる山形突状に形成された構成としたものである。
【００１０】
また、他の手段は、フレームの他端側に設けられた係合部は、アーチ状の係合枠からなり、前記係合枠の内周側を係合孔としたものである。
【００１１】
また、他の手段は、着脱片およびアーチ状の係合枠は可撓性材料からなる構成としたものである。
【００１２】
また、他の手段は、ベルマウス取付部材の前面で係合突部の近傍に、凹凸状の指押圧部を設けたものである。
【００１３】
また、他の手段は、ベルマウス取付部材およびフレームの一方側端部に、着脱片および係止部を１組、他方側端部に係合突部および係合部を２組設けたものである。
【００１４】
また、他の手段は、フレームの前面に、ベルマウス取付部材取付け時に、その他方側端部に隣接する一側縁が当接するガイドリブを設けたものである。
【００１５】
また、他の手段は、上記ガイドリブは係合部側のみに設けたものである。
【００１６】
また、他の手段は、フレームの前面に、ベルマウス取付部材取付け時に、その他方側端部に隣接する一側縁が当接する段差を設けたものである。
【００１７】
また、他の手段は、フレームを前面側から覆い通風孔を有したカバーを前記フレームに着脱自在に装着し、前記カバーの裏面に、このカバーの装着時に前記ベルマウス取付部材を前記フレームに係止および係合可能に押圧する高さの押圧リブを設けたものである。
【００１８】
また、他の手段は、ベルマウス取付部材の裏面に、フレームへの取付け状態で、円筒部の内周面に密着状に当接する気密リブを設けたものである。
【００１９】
また、他の手段は、円筒部の室内側開口部を開閉するシャッターユニットをベルマウス取付部材に付加装着可能な構成としたものである。
【００２０】
また、他の手段は、シャッターユニットの前面で係合突部の近傍に、凹凸状の指押圧部を設けたものである。
【発明の効果】
【００２１】
本発明によれば、ベルマウスは、ベルマウス取付部材の前面の一方側端部および他方側端部を押圧するだけで、フレームへの取付けが完了するので、片方が外れたままの中途半端な状態で取り付けられることなく、確実に取り付けることができ、また、ベルマウス取付部材の一方側端部、他方側端部のいずれからでも押圧して取り付けることができ、一方側端部の着脱片を指で操作するだけでベルマウス取付部材を取り外すことができるので、ベルマウスの着脱が容易にできることとなる。
【００２２】
また、フレームの前面に設けたガイドリブによって、ベルマウス取付部材を取付け時にガイドし、ベルマウスがスムーズに取り付けられることとなる。
【００２３】
また、フレームの前面に設けられ、ベルマウス取付部材の一側縁が当接する段差、および、ベルマウス取付部材の裏面に設けられ、円筒部の内周面に密着する気密リブによって、ベルマウスは簡単に取り付けられる構成であっても、気密性の高い状態で取り付けられることとなる。
【発明を実施するための最良の形態】
【００２４】
本発明の請求項１に記載の換気装置は、遠心ファンを有したファンモーターへの通風を案内するベルマウスに一体的に形成されたベルマウス取付部材が、一方側端部に前面を押圧することによって前記フレームの一方側端部に設けた係止部に係止するとともに、指操作で前記係止を解除可能な着脱片を設け、前記一方側端部に対向する他方側端部に、前記フレームの他方側端部に設けられ係合孔を有し弾性変形する係合部の前記係合孔に嵌合する寸法で、中央部が高く形成された係合突部を設けた構成としたものであり、ベルマウス取付部材を、その前面の一方側端部および他方側端部のどちらからでも押圧するだけで、確実に、かつ容易にフレームに取り付けることができる。
【００２５】
また、請求項２に記載の換気装置は、請求項１に記載の換気装置について、係合突部は、係合孔に係合し始める側を低く中央部を最高位の頂部とした上昇傾斜面と、前記頂部から下降する下降傾斜面と、前記下降傾斜面から前記係合孔に対し直交する直交面とからなる山形突状に形成されたものであり、係合突部は、フレームの係合孔に係合していく方向に容易に進み、係合を保持する状態に、確実に、かつ容易に導かれることとなる。
【００２６】
また、請求項３に記載の換気装置は、フレームの他端側に設けられた係合部は、アーチ状の係合枠からなり、前記係合枠の内周側を係合孔としたものであり、係合部であるアーチ状の係合枠は、その形状から良好な弾性変形をし、ベルマウス取付部材の係合突部をフレームの係合枠に係合するのがより容易に行えることとなる。
【００２７】
また、請求項４に記載の換気装置は、着脱片およびアーチ状の係合枠は可撓性材料からなるものであり、着脱片および係合枠は弾性変形しやすく、着脱片および係合突部をフレームに係止あるいは係合するのがより容易に行えることとなる。
【００２８】
また、請求項５に記載の換気装置は、ベルマウス取付部材の前面で係合突部の近傍に、凹凸状の指押圧部を設けたものであり、係合突部を係合部に係合するのに適切な位置を、すべることなく確実に押圧することができる。
【００２９】
また、請求項６に記載の換気装置は、ベルマウス取付部材およびフレームの一方側端部に、着脱片および係止部を１組、他方側端部に係合突部および係合部を２組設けたものであり、ベルマウス取付部材のフレームへの取付けは、とくに他方側端部の２組の係合突部および係合部によってしっかりと固定され、一方、取外しは一方側端部一箇所で着脱片の係止部への係止を解除することで、容易に取り外すことができる。
【００３０】
また、請求項７に記載の換気装置は、フレームの前面に、ベルマウス取付部材取付け時に、その他方側端部に隣接する一側縁が当接するガイドリブを設けたものであり、ベルマウス取付部材をフレームに取り付けるときに、ガイドリブによって適切な位置にガイドされて、その取り付けをスムーズに行うことができる。
【００３１】
また、請求項８に記載の換気装置は、請求項７におけるガイドリブが、係合部側のみに設けたものであり、ベルマウス取付部材の係合突部をフレームの係合孔に嵌合させる過程での位置決めを的確にする必要がある側に、とくにガイドリブを設けたので、その取付けは的確に、かつスムーズに行うことができる。
【００３２】
また、請求項９に記載の換気装置は、フレームの前面に、ベルマウス取付部材取付け時に、その他方側端部に隣接する一側縁が当接する段差を設けたものであり、段差によってフレームとベルマウス取付部材との気密性が向上して、隙間による性能低下を防止できることとなる。
【００３３】
また、請求項１０に記載の換気装置は、フレームを前面側から覆い通風孔を有したカバーを前記フレームに着脱自在に装着し、前記カバーの裏面に、このカバーの装着時に前記ベルマウス取付部材を前記フレームに係止および係合可能に押圧する高さの押圧リブを設けたものであり、万一、ベルマウス取付部材への指の押圧が不十分で、その取付けが完全になされてなくても、カバーを装着することによって、ベルマウス取付部材の取付けを達成することができる。
【００３４】
また、請求項１１に記載の換気装置は、ベルマウス取付部材の裏面に、フレームへの取付け状態で、円筒部の内周面に密着状に当接する気密リブを設けたものであり、気密リブによってフレームとベルマウス取付部材との気密性が向上して、隙間による性能低下を防止できることとなる。
【００３５】
また、請求項１２に記載の換気装置は、円筒部の室内側開口部を開閉するシャッターユニットをベルマウス取付部材に付加装着可能な構成としたものであり、シャッターを必要とする機種において、シャッターもフレームに確実に取り付けることができ、シャッターの正常な作動を確保することができる。
【００３６】
また、請求項１３に記載の換気装置は、シャッターユニットの前面で係合突部の近傍に、凹凸状の指押圧部を設けたものであり、シャッターユニットを装着しても、ベルマウス取付部材をフレームに係合するのに適切な位置を、すべることなく確実に押圧することができる。
【００３７】
以下、本発明の実施の形態について、図１〜図１０を参照しながら説明する。
【００３８】
（実施の形態１）
図１〜図３に示すように、室壁に設けた換気口（図示せず）に挿入され、その内部に遠心ファン１を位置させたファンモーター２を備え、その内部を通風路３とした円筒部４を設け、遠心ファン１の吸込み側となる円筒部４の室内側開口部に、外方に延設してフレーム５を形成し、このフレーム５を室壁に固定する構成としている。また、円筒部４の室内側開口部にファンモーター２への通風を案内するベルマウス６を取り付けるために、ベルマウス６に一体的に形成されたベルマウス取付部材７を、以下に説明する構成でフレーム５に着脱自在に設けている。また、フレーム５の前面側には、フレーム５の前面全体を覆い、通風孔８を有したカバー９が着脱自在に設けられている。
【００３９】
ベルマウス取付部材７の一方側端部の１箇所に、弾性変形するようにＵ字状に形成された着脱片１０を設け、フレーム５の一方側端部に、ベルマウス取付部材７の前面を押圧することによって、着脱片１０が係止する係止部である係止孔１１が設けられている。また、着脱片１０の係止を解除するために、着脱片１０を指で挟んで弾性変形させて係止孔１１から抜き出すことができる寸法関係となっている。
【００４０】
そして、ベルマウス取付部材７の一方側端部に対向する他方側端部の２箇所に、フレーム５の他方側端部に設けられ、良好な弾性変形をするように形成されたアーチ状の係合部である係合枠１２（図４参照）の内周側となる係合孔１３に係合する係合突部１４を設けている。
【００４１】
係合突部１４は、図５に拡大して示すように、係合枠１２の枠をなす１辺である上辺１２ａに係合し始める側を低く中央部を最高位の頂部１４ａとした上昇傾斜面１４ｂと、頂部１４ａから下降する下降傾斜面１４ｃと、下降傾斜面１４ｃから係合孔１３に対し直交する直交面１４ｄとからなり、頂部１４ａが突状の山形状に形成されている。
【００４２】
また、Ｕ字状の着脱片１０とアーチ状の係合枠１２は、弾性変形がより良好になされるように可撓性材料からなり、たとえば、ポリプロピレンが好ましい。
【００４３】
そして、ベルマウス取付部材７の前面の係合突部１４近傍で、係合するために押圧する適切な箇所に、すべり止めとなる凹凸状の指押圧部１５を設けている。
【００４４】
一方、フレーム５の前面に、ベルマウス取付部材７を取り付ける際、ベルマウス取付部材７の他方側端部に隣接する一側縁７ａが当接しながらガイドされるガイドリブ１６を設けている。
【００４５】
また、図６に示すように、ベルマウス取付部材７の後面に、フレーム５に取り付けた状態で、円筒部４の内周面に密着状に当接する気密リブ１７を設けている。気密リブ１７は、先端が円筒部４に挿入されやすいように、先端部は円筒部４の内径より若干小さい外径としている。
【００４６】
また、図７に示すように、カバー９の裏面に、ベルマウス取付部材７の前面を押圧する押圧リブ１８を設けている。押圧リブ１８の高さは、カバー９をフレーム５に装着したとき、ベルマウス取付部材７をフレーム５に完全に係止および係合するように押圧する高さとしている。
【００４７】
上記のように構成された換気装置の室壁への取り付け、および、遠心ファン１の掃除のための着脱について、以下に説明する。
【００４８】
まず、換気装置の室壁への取り付けは、カバー９を取り外し、円筒部４を室壁の換気口に挿入してフレーム５を室壁に当接させ、フレーム５を室壁に固定し、その後、カバー９をフレーム５の前面側に装着して、完了する。
【００４９】
一方、遠心ファン１を埃等が付着し汚れてきて掃除するために取り外す場合には、まずカバー９をフレーム５から取り外し、ベルマウス取付部材７の着脱片１０を指で挟んで係止孔１１より幅が小さくなるように弾性変形させて、係止孔１１から抜き外してからベルマウス取付部材７を手前側に引くことにより、他方側端部の係合も外れて、ベルマウス取付部材７を取り外すことができる。このベルマウス取付部材７の取り外しは、１組の着脱片１０と係止孔１１の係止を解除するだけで行えるので、ごく簡単な操作で達成できることとなる。そして、遠心ファン１をモーターから外して取り出し、掃除する。
【００５０】
掃除を終えると、遠心ファン１をモーターに固着してから、ベルマウス取付部材７の着脱片１０を係止孔１１に入れてベルマウス取付部材７の前面の着脱片１０近傍を押し、係止させる。そして、他方側端部の２箇所の指押圧部１５を押すと、ベルマウス取付部材７の一側縁７ａがフレーム５のガイドリブ１６にガイドされながら当接して、係合突部１４が係合枠１２の係合孔１３に嵌合する位置決めがなされる。そして、図５に係合突部１４の移動の方向を矢印Ａで示すように、係合突部１４がその上昇傾斜面１４ｂの低位の側から頂部１４ａの方向へ係合枠１２の上辺１２ａに当接していき、このとき、係合枠１２はわずかずつ弾性変形していき、当接箇所が頂部１４ａを通過して下降傾斜面１４ｃに至ると、係合枠１２は、弾性変形が減少していき、係合突部１４を係合する方向に作用していき、さらに、当接箇所が下降傾斜面１４ｃを通過すると、急に方向が変わる直交面１４ｄに落ち込むようにして係合する。
【００５１】
このように、係合突部１４が係合枠１２に当接しながら移動する経路は、上昇傾斜面１４ｂから頂部１４ａを通過すると下降傾斜面１４ｃに移るように形成されており、この移動方向が変移する箇所で長い水平部、あるいは引っかかるような角部がないので、この頂部１４ａで係合突部１４と係合枠１２が突っ張るようになって移動が止まってしまうことなく、スムーズに係合保持される箇所に移動していく。そして、係合後は、直交面１４ｄに係合枠１２の上辺１２ａが係合するものなので、係合が外れにくく、また、係合突部１４が係合孔１３に嵌合するので、がたつくことのない取付け状態を維持することができる。
【００５２】
この係合枠１２と係合孔１３は２組設けられているが、ベルマウス取付部材７の取付け時、その表面に形成された指押圧部１５を押圧するだけで、係合に適切な位置を押すことができるので、その取り付けが容易に、かつ確実に行うことができる。
【００５３】
また、フレーム５の前面に設けたガイドリブ１６によるベルマウス取付部材７の位置決めは、換気装置を垂直壁に取り付ける場合は、ベルマウス取付部材７は、取付け時、下方へずれやすいが、このずれが生じないようにガイドすることができ、また、天井壁に取り付ける場合は、高い位置での取付作業となるので、ずれがないようにガイドされることが有用なものとなる。
【００５４】
一方、フレーム５の裏面側では、ベルマウス取付部材７をフレーム５に取り付けると、ベルマウス取付部材７の裏面に設けた気密リブ１７が円筒部４の内周面に密着状に当接し、ベルマウス６のまわりに室内側と円筒部４内部とを連通する隙間が生じるのをなくし、ベルマウス取付部材７を簡単に取り付けても性能低下を招くことがない。
【００５５】
また、ベルマウス取付部材７の取付状態が何らかの要因で完全な係合状態にない場合に、カバー９を装着すると、カバー９の裏面に設けた押圧リブ１８がベルマウス取付部材７の前面を押し付けて、カバー９を装着し終えたとき、係合突部１４は完全に係合孔１３に係合した状態となる。
【００５６】
このように、万一、ベルマウス取付部材７が不完全な状態で取り付けられていた場合があったとしても、カバー９を装着する過程で完全に係合し取り付けられることとなる。なお、上述のベルマウス取付部材７の取り付けは、着脱片１０を先に係止し、係合突部１４を後で係合孔１３に嵌合係合する順序で説明したが、本発明はその順序に限定されるものではなく、係合突部１４と係合孔１３の嵌合係合を先にしてもよく、このように、取り付けの順序の間違いによる取付不良が発生することがなく、より確実な取り付けを実現できるものである。
【００５７】
（実施の形態２）
図８に示すように、ベルマウス取付部材７（図示せず）の一側縁７ａ（図示せず）が当接するガイドリブ１６をフレーム５の他方側である係合孔１３側のみに設けている。
【００５８】
ベルマウス取付部材７の取り付けは、係合突部１４と係合孔１３を嵌合させて係合する構成によるものであり、そのときの位置は正確に決める必要があるので、この嵌合させて係合する他方側のみで位置決めできるようにすれば、正確な取り付けは達成できる。
【００５９】
このように、正確な位置決めをするために高精度に形成する箇所を最重要箇所のみとすることによって、製造コストの低減を可能にする。
【００６０】
（実施の形態３）
図９に示すように、ベルマウス取付部材７（図示せず）をフレーム５に取り付けたとき、ベルマウス取付部材７の他方側端部に隣接する一側縁７ａが当接する段差１９を、フレーム５の前面に設けている。
【００６１】
このように、ベルマウス取付部材７の一側縁７ａが当接する段差１９を設けることによって、段差１９の垂直壁が遮蔽壁となって、フレーム５の前面側と円筒部４内部との連通をなくし、ベルマウス取付部材７を簡単に取り付けても性能低下を招くことがない。
【００６２】
（実施の形態４）
図１０に示すように、外風の室内への侵入を阻止するシャッター２０を必要とする場合は、上記実施の形態１〜３に記載のベルマウス取付部材７にシャッターユニット２１を固着したベルマウス取付部材７を、上記実施の形態１で説明した方法と同様にして、フレーム５に着脱自在に取り付ける。なお、ベルマウス取付部材７の指押圧部１５はシャッターユニット２１に覆われてしまうので、シャッターユニット２１前面の係合突部１４近傍に指押圧部２２を設けている。
【００６３】
上記構成により、シャッターの着脱も確実に、かつ容易に行うことができることとなり、シャッター２０が汚れてきた場合の掃除が手元に外して容易にでき、また、外したあとも確実に取り付けることができるので、その作動に支障が起こることもない。
【産業上の利用可能性】
【００６４】
本発明に係る換気装置は、ファンモーターへの通風を案内するベルマウスの着脱が確実かつ容易にできるという顕著な効果を奏し、ベルマウスの内径より外径が大きく、着脱することが必要な遠心ファンを有した換気装置等に有用である。
【図面の簡単な説明】
【００６５】
【図１】本発明の実施の形態１の換気装置のカバーおよびベルマウス取付部材を外した状態を示す斜視図
【図２】同換気装置のベルマウス取付部材を外した状態を示す斜視図
【図３】同換気装置のベルマウス取付部材を示す斜視図
【図４】同換気装置のフレームに設けた係合枠の拡大図
【図５】同換気装置の係合枠とベルマウス取付部材に設けた係合突部の拡大図
【図６】同換気装置のベルマウス取付部材の裏面側を示す斜視図
【図７】換換気装置のカバーの裏面側を示す斜視図
【図８】本発明の実施の形態２の換気装置を示す斜視図
【図９】本発明の実施の形態３の換気装置を示す斜視図
【図１０】本発明の実施の形態４の換気装置のシャッターユニットを装着したベルマウス取付部材を示す斜視図
【図１１】従来の換気装置の斜視図
【図１２】同換気装置のベルマウス取付部材の取付けを説明する斜視図
【符号の説明】
【００６６】
１      遠心ファン
２      ファンモーター
３      通風路
４      円筒部
５      フレーム
６      ベルマウス
７      ベルマウス取付部材
７ａ    一側縁
８      通風孔
９      カバー
１０    着脱片
１１    係止孔
１２    係合枠
１３    係合孔
１４    係合突部
１４ａ  頂部
１４ｂ  上昇傾斜面
１４ｃ  下降傾斜面
１４ｄ  直交面
１５    指押圧部
１６    ガイドリブ
１７    気密リブ
１８    押圧リブ
１９    段差
２１    シャッターユニット
２２    指押圧部
【図１】
2008232490.tif 000003
【図２】
2008232490.tif 000004
【図３】
2008232490.tif 000005
【図４】
2008232490.tif 000006
【図５】
2008232490.tif 000007
【図６】
2008232490.tif 000008
【図７】
2008232490.tif 000009
【図８】
2008232490.tif 000010
【図９】
2008232490.tif 000011
【図１０】
2008232490.tif 000012
【図１１】
2008232490.tif 000013
【図１２】
2008232490.tif 000014